(57)【要約】【課題】機械的手段によって簡単に、迅速に組み立てられるようにした。【解決手段】矩形な底面部２の一方の対向する２辺に外側面部３と内側面部５とが重合して側面部が構成され、他方の対向する２辺に外端面部８と内端面部１０とが重合して端面部が構成され、外端面部８の上縁左右から延在する補強部１２の側端に設けた差込部１３を、第１組立工程において補強部１０に対して垂直に折曲し、前記外側面部３と内側面部５とにより側面部を、及び外端面部８と内端面部１０とにより端面部を順次組み立てた後、最終組立工程において前記補強部１２を側面部の端部上縁部に向かって折り込むとともに、前記差込部１３を側面上縁部に設けた係合溝１４に挿着してなる。【選択図】  図２
2004331196.tif 000002
【特許請求の範囲】
【請求項１】
矩形な底面部の一方の対向する２辺に外側面部と内側面部とが重合して側面部が構成され、他方の対向する２辺に外端面部と内端面部とが重合して端面部が構成され、外端面部の上縁左右から延在する補強部の側端に設けた差込部を、第１組立工程において補強部に対して垂直に折曲し、前記外側面部と内側面部とにより側面部を、及び外端面部と内端面部とにより端面部を順次組み立てた後、最終組立工程において前記補強部を側面部の端部上縁部に向かって折り込むとともに、前記差込部を側面上縁部に設けた係合溝に挿着してなることを特徴とする組立紙器。
【請求項２】
矩形な底面部の一方の対向する２辺に外側面部と内側面部とが重合して側面部が構成され、他方の対向する２辺に外端面部と内端面部とが重合して端面部が構成されて組み立てられる組立紙器の組立方法において、
第１組立工程として、内端面部の左右に延在する補強部の側端に設けた差込部を、補強部に対して垂直に折曲し、その後前記外側面部と内側面部とにより側面部を、及び前記外端面部と内端面部とにより端面部を順次組み立てた後、最終組立工程において前記補強部を側面部の側面上縁部に向かって折り込むとともに、前記差込部を側面上縁部に設けた係合溝に挿着してなることを特徴とする組立紙器の組立方法。
【発明の詳細な説明】
【０００１】
【発明の属する技術分野】
本発明は、例えば内部に苺を詰めたパックを４個収納する組立紙器及びその組立方法に関するものである。
【０００２】
【従来の技術】
複数個のパックを収納する組立紙器として、矩形の底面部の対向する一方の１対の辺に内側面部と外側面部とを重合させて側面部を形成し、他方の１対の辺に連設した端面部を直立させるとともに、補強用の端面部を水平に折曲して左右の端部の差込部を前記側面部の溝に差し込むようにした構成が知られている（例えば、特許文献１）。
【０００３】
【特許文献１】
特開２００２−１２８０５５
【０００４】
【発明が解決しようとする課題】
しかし、前記従来の組立紙器は、補強用の端面部が紙器の開口部左右に、一部が閉塞するように位置しているので、パックを収納する場合に補強用の端面部を直立させて前記開口部を十分に開放しなければならない。したがって、パック収納後に補強用の端面部を倒して差込部を溝に差し込むことになるので手動であり、機械的手段によって高速で迅速に処理するのが不可能である。即ち、厚紙、段ボール紙などからシート材を機械的手段によって紙器に組み立てる場合、雌型である固定下型の上面に展開状態のシート材を載せて、雄型である上下可動の上型を下降させ、下型の保持部分に上型のロッドを押圧させながら側面部や端面部を順に折曲させて組み立てるのである。したがって、差込部を最終処理過程で横に折り、折った差込部を溝に装着することを雌型と雄型との作動により処理することが不可能である。
したがって本発明は、厚紙、段ボール紙などのシート材から紙器を組み立てる工程において、最初の第１組立工程において補強部から連設する差込部を垂直に折曲し、差込部を折曲したままで側面部、端面部を順に折曲して周辺部を組み立て、最終的に前記差込部を側面部上縁に設けた係合溝に挿着することにより、機械的手段によって、連続的に、高速で組み立てることができるようにしたことを目的とする。
【０００５】
【課題を解決するための手段】
前記目的を達成するために、本発明は次のような構成である。即ち、請求項１に記載された発明は、矩形な底面部の一方の対向する２辺に外側面部と内側面部とが重合して側面部が構成され、他方の対向する２辺に外端面部と内端面部とが重合して端面部が構成され、外端面部の上縁左右から延在する補強部の側端に設けた差込部を、第１組立工程において補強部に対して垂直に折曲し、前記外側面部と内側面部とにより側面部を、及び外端面部と内端面部とにより端面部を順次組み立てた後、最終組立工程において前記補強部を側面部の端部上縁部に向かって折り込むとともに、前記差込部を側面上縁部に設けた係合溝に挿着してなることを特徴とする組立紙器に関するものである。
【０００６】
そして請求項２に記載された発明は、矩形な底面部の一方の対向する２辺に外側面部と内側面部とが重合して側面部が構成され、他方の対向する２辺に外端面部と内端面部とが重合して端面部が構成されて組み立てられる組立紙器の組立方法において、第１組立工程として、内端面部の左右に延在する補強部の側端に設けた差込部を、補強部に対して垂直に折曲し、その後前記外側面部と内側面部とにより側面部を、及び前記外端面部と内端面部とにより端面部を順次組み立てた後、最終組立工程において前記補強部を側面部の側面上縁部に向かって折り込むとともに、前記差込部を側面上縁部に設けた係合溝に挿着してなることを特徴とする組立紙器の組立方法に関するものである。
【０００７】
【発明の実施の形態】
以下に本発明を図面に示す実施の態様に基づいて説明する。
図１は本発明の組立紙器の斜視図、図２はシート材の展開状態の平面図、図３は差込部を直立するように折曲したシート材の展開状態の斜視図、図４は左右一対の側面部の折曲状態の斜視図、図５は一方で１対の側面部と他方で１対の端面部とを組み立てている状態の斜視図、図６は内側面部を外側面部の内側に折り込んでいる状態の斜視図、図７は内端面部を外端面部の内側に折り込んでいる状態の斜視図、図８は補強部を側面部の側面上縁部に向かって折り込むとともに差込部を側面上縁部に設けた係合溝に挿着している状態の斜視図、図９は本発明の組立紙器を組み立てる装置の概略斜視図、図１０は雌下型の上に雄上型が位置している状態の概略正面図、図１１は概略側面図、図１２は一部の平面図、図１３は雌下型の一部を示す平面図、図１４は一部を拡大した斜視図である。
【０００８】
本発明の組立紙器Ｓは、厚紙、段ボール紙などからなるシート材１を組み立ててなるものである。
前記シート材１には、矩形の底面部２が中央に形成してあり、前記底面部２の一方の対向する２つの辺に外側面部３、側面上縁部４及び内側面部５がその順で外方向に連設され、各外側面部３の左右の端縁には外折込部６が、内側面部５の左右の端縁には内折込部７がそれぞれ連設されている。
【０００９】
そして、前記底面部２の他方の対向する２つの辺には、外端面部８、端面上縁部９及び内端面部１０がその順で外方向に連設され、各外端面部８の上縁左右には、端面上縁部９並びに内端面部１０にわたって４分の１円弧状の切断線１１を設けることによって４分の１円弧状の補強部１２を連設するように形成し、前記補強部１２の自由端には差込部１３を突設してある。
【００１０】
また、前記１対の側面上縁部４の左右の端部近傍には、前記差込部１３が挿着される係合溝１４を開設してあり、また内端面部１０の左右の側端先端には短尺な係止部１５を延設してある。
【００１１】
前記シート材１によって本発明の紙器Ｓを組み立てるには、最初の第１組立工程において、図３で示すように、各差込部１３を各補強部１２に対して垂直に、直立するように折曲する。
この差込部１３を折曲させるには、固定している雌下型の上方にシート材１を載置し、前記雌下型に設けた縦方向のガイド材の上端で差込部１３の基端の折曲部分下面を支持し、底面部２を上から押圧するため上下動可能な雄上型に設けてある矩形枠状の押圧部から延長する腕杆の先端に設けた爪部を、差込部１３の折曲部分上面の内側に当接させて雄上型を下降させるのであって、前記差込部１３の基端折曲部分が下降する腕杆の先端爪部と、雌下型のガイド材の上端との間で挟圧されるので、差込部１３だけが補強部１２に対して垂直に、直立するように折曲することになる。
【００１２】
前記第１組立工程が終了した後の第２組立工程は、前記雄上型をさらに下降させることにより、図４で示すように、各外側面部３に対して左右の外折込片６を内側に折曲させながら、１対の外側面部３を底面部２に対して直立するように折曲させる。
【００１３】
そして、第３組立工程として、底面部２に対して１対の外側面部３が直立する前に若しくは直立後に、図５で示すように外端面部８を底面部２に対して直立するように折曲させ、外端面部が直立した状態で外折込片６を外端面部８の内面側に沿わせる。
【００１４】
前記第２組立工程、第３組立工程は、いずれも固定している雌下型に上下動する雄上型を上から下降させて押圧するだけで、下型に設けた受けガイド材と上型に設けた押圧ロッドとにより処理することができる。
【００１５】
前記した第３組立工程が終了した状態では、図６で示すように、底面部２に対して１対の外側面部３と内側面部５、及び１対の外端面部８と内端面部１０とが垂直に直立するので、第４組立工程として、雌下型の外側に設けた旋回動する折込機構によって図６の矢印で示すように、対向する両内側面部５を外側面部３の内側に重合するように折り込む。
【００１６】
この第４組立工程においては、内折込部７が内側面部５の左右方向に延在しているが、直立している差込部１２や内端面部１０に接触するので、内側面部４の外側に向いて垂直に滑りながら折れ曲がることになり、内側面部４が外側面部３の内側に密接するように折れると、外折込部６の内側に重合することになる。
【００１７】
また、内折込部７の折り込み途中で、第１組立工程において既に折曲された差込部１３が補強部１２の内側に向かって折り曲げられるが、内折込部７が瞬間的にしか通過しないので、差込部１３はシート材１の復元力によって補強部１２に対し垂直状態に戻る。そして、幅狭な側面上縁部４は、内側面部５の折り込みに追従して折れ曲がる。
【００１８】
したがって、第４組立工程が終了した状態では、図７で示すように外側面部３の内側に内側面部５が密接状に重合し、また外端面部８の内側左右に外折込部６と内折込部７とが密接して重合した状態になり、側面上縁部４が上端に位置する側面部が構成される。
【００１９】
前記した第４組立工程が終了すると、次の第５組立工程では図７の矢印で示すように、直立している内端面部１０を外端面部８の内側に向かって折曲させる。この工程では、切断線１１によって補強部１２は折曲されないし、また前記差込部１３は補強部１２に対して垂直になったままである。
【００２０】
したがって、第５組立工程において内端面部１０を内側に折曲させると、係止部１５が内側面部５の内面を滑りながら折れ曲がり、内端面部１０が外端面部８の内面に密接すると端面上縁部９が上端に位置して内端面部１０と外端面部８とが重合する端面部が構成される。
【００２１】
前記した端面部は、左右の係止部１５が内側面部５の内面に圧接しているのでシート材１の復元性により戻ることがないし、また各側面部の左右の外折込部６と内折込部７とが外端面部８と内端面部１０との間に挟持されているので戻ることがない。
【００２２】
前記した第５組立工程の途中で、若しくは第５組立工程の終了後に、第６組立工程として端面部の上端から直立している各補強部１２を側面部の上縁部に向かって倒すように折り、その途中で差込部１３を側面上縁部４に開設してある係合溝１４に上から挿着し、補強部１２を強固に止着する。
【００２３】
したがって、前記第１組立工程から第６組立工程により組み立てられた紙器Ｓは、対向する１対の側面部及び端面部が強固に組み立てられているし、また４つの隅部の上面に補強部１２が掛け渡された状態になるので、著しく強度の高いものとなる。そして、第１組立工程において折曲した差込部が補強部の折り込みによって係合溝１４に差し込まれるので、機械的手段によってきわめて簡単に、また高速で組み立てることができる。
【００２４】
図９から図１４は本発明の組立紙器を組み立てるための組立装置を示すもので、組立装置１０１は、図９で示すようにレバー１０２の手動操作により上下動する雄上型１１１と、前記シート材１を上面に載置する固定の雌下型２１１とからな利、雄上型１１１及び雌下型はフレームＦに設けられている。
【００２５】
前記レバー１０２は、後端近傍がフレームＦに設けてあるポール１０３の上端に枢着されて回動可能で、前記ポール１０３と先端の操作部１０４との間に設けた吊持杆１０５で前記雄上型１１１を上下動自在に吊り下げて支持するとともに、後端部にウエイト１０６を設けて雄上型１１１とのバランスを保たせることにより、操作部１０４の手動によりレバー１０２が操作しやすい様にしている。
【００２６】
前記雄上型１１１は、吊持杆１０５の下端に設けた矩形枠状の押圧部１１２の上面に、前後左右に４本のガイドポール１１３を直立させ、前記ガイドポール１１３にスライダー１１４を上下動可能に取り付け、前記スライダー１１４の下面に左右方向に延長する４本の腕杆１１５を設け、各腕杆１１５の先端に下向きの爪部１１６を設けてある。
【００２７】
そして、前記下型２１１の上端位置の左右には、断面がＬ字状のガイドレール１０７を左右に対向するように設けてあり、前記ガイドレール１０７にシート材１を載置する。
【００２８】
前記固定の雌下型２１１には、前後、左右にガイド材２１２を設けてあり、前記ガイド材２１２は雄上型１１１の爪部１１６に対応する位置にある。
【００２９】
そして、前記雌下型２１１には、左右の外折込片６を内側に折曲する第１受けロッド２１３、外側面部３を折曲する第２受けロッド２１４を対向する側部に直立状に設けてあり、また外端面部８を折曲する板状のガイド２１５を対向する２つの端部に直立状に設けてある。また、内側面部５を外側面部３の内側に折り込む第１の旋回バー２１６と、内端面部１０を外端面部８の内側に折り込む第２の旋回バー２１７をそれぞれ側部、端部に設けてある。さらに、前記旋回バー２１７の回転軸に並列して随伴回転する他の回転軸には、前記補強片１２を最終的に折曲させる回動折込部２１８を設けてある。
【００３０】
前記第１の旋回バー２１６は雌下型２１１の下部に設けた第１のペダル２１９の操作によって往復回動し、また第２の旋回バー２１７及び回動折込部２１８は第１のペダル２１９に並ぶようにして設けた第２のペダル２２０の操作によって往復回動することができる。
【００３１】
したがって、シート材１をガイドレール１０７に載せて雌下型２１１の上方に位置させ、操作部１０４を手動で下降操作すると、吊持杆１０５を介して雄上型１１１が下降する。したがって、押圧部１１２は、シート材１の底面部２を上から押圧しながら下降し、爪部１１６が差込部１３の基端の折曲部分に上から当接するとともにガイド材２１２が前記折曲部分を下から受け止めるために、差込部１３が直立するように折曲する。
【００３２】
なお、差込部１３が直立するように折曲すると、雄上型１１１が下降してもスライダー１１４はガイドポール１１３に沿っているので、下降しないでシート材１とともに直立する差込部１３がガイド材２１２の内面に沿い下降するだけである。
【００３３】
そして、雄上型１１１がさらに下降すると、押圧部１１２はシート材１の底面部２をさらに下方に押圧するので、対向する各外側面部３の左右の外折込部６が第１受けロッド２１３に当接して次第に内側に折曲するとともに、各外側面部３が左右の第２受けロッド２１４に当接して、外側面部３、側面上縁部４及び内側面部５が次第に直立するように折曲する。
【００３４】
雄上型１１１の継続的下降によって押圧部１１２がさらに下降すると、底面部２に対して外側面部３等が直立する直前に若しくは直立した後に、対向する外端面部８の下面に板状のガイド２１５が当接するので、外端面部８、端面上縁部９及び内端面部１０が底面部２に対し直立するように折曲する。
【００３５】
そして、雄上型１１１が最下降して押圧部１１２が下死点にまで下降すると、底面部２に対して外側面部３、側面上縁部４及び内側面部５が対向するように直立するし、また外端面部８、端面上縁部９及び内端面部１０が対向するように直立する。したがって、底面部２に対して四辺に側面部、端面部が対向上に直立しているし、予め内側に折曲している外折込部６が外端面部８の内面に沿うように位置する。
【００３６】
この状態において、第１のペダル２１９を踏み込んで操作すると、各第１の旋回バー２１６が雌下型２１１の外側から内側に向かって旋回動するので、図６の矢印で示すように直立している内側面部５を外側面部３の内側に向かって回動させる。このとき、内側面部５の左右の内折込部７は、直立している内端面部１０によって後方に折り曲がり、差込部１３が内折込部７の通過により内端面部１０の内側に向かって折れたり内端面部５が外方に倒れるように折れるが、内折込部７が瞬間的に通過するし、通過後には差込部１３及び内端面部１０の復元力によって戻ることになる。
【００３７】
前記第１の旋回バー２１６の作動により内側面部５が外側面部３の内面に密着状になるまで折り曲がると、図７で示すように各内折込部７は外折込部６の内面に密着して、外端面部８の左右端部が３重になる。
【００３８】
この状態において第２のペダル２２０を踏み込むと、第２の旋回バー２１７と回動折込部２１８とが９０度の角度差で雌下型２１１の外側から内側に向かって同時に旋回動し、第２の旋回バー２１７が図７の矢印で示すように内端面部１０を外端面部８の内面に向かって回動させる。そして、第２の旋回バー２１７が十分に旋回動して内端面部１０が外端面部８の内面に密着すると、左右の係止部１５が内側面部５の内面に圧着するので内端面部１０が戻り回動しない。
したがって、外折込部６及び内折込部７は外側面部３と内側面部５との間に挟持されているので、対向している各側面部、端面部によって組立紙器は強固に組み立てられる。
【００３９】
また前記第２の旋回バー２１７とともに旋回動する４つの隅角部の回動折込片２１８は、第２の旋回バー２１７が旋回動している途中で各補強部１２に当接し、図８の矢印で示すように直立状態の補強部１２を水平方向に折曲させる。そして、差込部１３は第１工程で補強部１２に対して垂直に折曲されているので、補強部１２が十分に折り込まれると差込部１３が係合溝１４にそのまま挿着する。したがって、補強部１２は組み立てられた紙器Ｓの開口部の４隅角部に、側面部と端面部との間に斜めに架けられているので、紙器を補強するとともに、紙器を上下に積み上げた場合の受け止め部にもなるし、また紙器の内部に収納する物を支持することにもなる。
なお、係合溝１４は細くて差込部１３が挿着できないことがあるので、雌下型２１１の対応する位置に、差込部１３を係合溝１４にガイドする板バネ状のガイド片を設けるとよい。
【００４０】
以上本発明を図面に示す実施例に基づいて説明したが、本発明は上記実施例に限定されるものではなく、特許請求の範囲に記載された構成を変更しない限りどのようにでも実施することができる。
【００４１】
【発明の効果】
以上要するに、本発明は矩形な底面部の一方の対向する２辺に外側面部と内側面部とが重合して側面部が構成され、他方の対向する２辺に外端面部と内端面部とが重合して端面部が構成され、外端面部の上縁左右から延在する補強部の側端に設けた差込部を、第１組立工程において補強部に対して垂直に折曲し、前記外側面部と内側面部とにより側面部を、及び外端面部と内端面部とにより端面部を順次組み立てた後、最終組立工程において前記補強部を側面部の端部上縁部に向かって折り込むとともに、前記差込部を側面上縁部に設けた係合溝に挿着してなることを特徴とする。
【００４２】
したがって、著しく強度の高い紙器を組み立てることができるし、紙器を上下に積層しても潰れたり破壊することがなく、例えば苺を収納した複数のパック以外でも、どのような内容物にでも対応することができる。
【００４３】
そして、矩形な底面部の一方の対向する２辺に外側面部と内側面部とが重合して側面部が構成され、他方の対向する２辺に外端面部と内端面部とが重合して端面部が構成されて組み立てられる組立紙器の組立方法において、第１組立工程として、内端面部の左右に延在する補強部の側端に設けた差込部を、補強部に対して垂直に折曲し、その後前記外側面部と内側面部とにより側面部を、及び前記外端面部と内端面部とにより端面部を順次組み立てた後、最終組立工程において前記補強部を側面部の側面上縁部に向かって折り込むとともに、前記差込部を側面上縁部に設けた係合溝に挿着することにより、電源が不要で、簡単な構造の機械によって高速で、確実に組み立てることができる。
したがって、苺パックを収納する組立紙器として利用する場合、苺の農家に本発明に関わる装置を設置すると、手動により著しく簡単に、短時間で多数を組み立てることができるので、一般需要者にそのまま供することができ、実用的価値の高いものとなる。
【図面の簡単な説明】
【図１】本発明の実施例を示す組立紙器の斜視図である。
【図２】シート材の展開状態の平面図である。
【図３】差込部を直立するように折曲したシート材の展開状態の斜視図である。
【図４】シート材において、左右一対の側面部の折曲状態の斜視図である。
【図５】シート材において、１対の側面部と１対の端面部とを組み立てている状態の斜視図である。
【図６】シート材において、内側面部を外側面部の内側に折り込んでいる状態の斜視図である。
【図７】シート材において、内端面部を外端面部の内側に折り込んでいる状態の斜視図である。
【図８】シート材において、補強部を側面部の側面上縁部に向かって折り込むとともに差込部を側面上縁部に設けた係合溝に挿着している状態の斜視図である。
【図９】本発明の組立紙器を組み立てる装置の概略斜視図である。
【図１０】雌下型の上に雄上型が位置している状態の概略正面図である。
【図１１】図１０の概略側面図である。
【図１２】一部の平面図である。
【図１３】雌下型の一部を示す平面図である。
【図１４】一部を拡大した斜視図である。
【符号の説明】
１  シート材
２  底面部
３  外側面部
４  側面上縁部
５  内側面部
６  外折込部
７  内折込部
８  外端面部
９  端面上縁部
１０  内端面部
１１  切断線
１２  補強部
１３  差込部
１４  係合溝
１５  係止部
１０１  組立装置
１０２  レバー
１０３  ポール
１０４  操作部
１０５  吊持杆
１０６  ウエイト
１０７  ガイドレール
１１１  雄上型
１１２  押圧部
１１３  ガイドポール
１１４  スライダー
１１５  腕杆
１１６  爪部
２１１  雌下型
２１２  ガイド材
２１３  第１受けロッド
２１４  第２受けロッド
２１５  ガイド
２１６  第１の旋回バー
２１７  第２の旋回バー
２１８  回動折込部
２１９  第１のペダル
２２０  第２のペダル
【図１】
2004331196.tif 000003
【図２】
2004331196.tif 000004
【図３】
2004331196.tif 000005
【図４】
2004331196.tif 000006
【図５】
2004331196.tif 000007
【図６】
2004331196.tif 000008
【図７】
2004331196.tif 000009
【図８】
2004331196.tif 000010
【図９】
2004331196.tif 000011
【図１０】
2004331196.tif 000012
【図１１】
2004331196.tif 000013
【図１２】
2004331196.tif 000014
【図１３】
2004331196.tif 000015
【図１４】
2004331196.tif 000016